(57)【要約】【課題】製造が容易で、外側ラベルの剥離に要する力のバラツキが少なく、しかも、外側ラベルの所定部分を容易に切断することのできる、多重ラベル、多重ラベル用の長尺ラミネートフィルム及びその製法を提供する。【解決手段】外側ラベル３が内側ラベル４から剥離される多重ラベルであって、外側ラベル３と内側ラベル４とが、外側ラベル３の剥離時に内側ラベル４の表面で剥離が起こるように接着フィルムを介して積層され、外側ラベル３と接着フィルムの所定位置には、内側ラベル４を切断せずに残して外側ラベル３と接着フィルムを一括的に切断するための切断線２２が形成されている。【選択図】      図１
2005010658.tif 000002
【特許請求の範囲】
【請求項１】
外側ラベルが内側ラベルから剥離される多重ラベルであって、
外側ラベルと内側ラベルとが、外側ラベルの剥離時に内側ラベルの表面で剥離が起こるように接着フィルムを介して積層され、
外側ラベルと接着フィルムの所定位置には、内側ラベルを切断せずに残して外側ラベルと接着フィルムを一括的に切断するための切断線が形成されていることを特徴とする多重ラベル。
【請求項２】
外側ラベルが内側ラベルから剥離される多重ラベル用の長尺ラミネートフィルムであって、
外側ラベルとなる第一の長尺フィルムと内側ラベルとなる第二の長尺フィルムとが、外側ラベルの剥離時に内側ラベルの表面で剥離が起こるように長尺状の接着フィルムを介して積層され、
第一の長尺フィルムと接着フィルムの所定位置には、内側ラベルを切断せずに残して外側ラベルと接着フィルムを一括的に切断するための切断線が長尺ラミネートフィルムの長手方向に沿って形成されていることを特徴とする多重ラベル用の長尺ラミネートフィルム。
【請求項３】
請求項２記載の多重ラベル用の長尺ラミネートフィルムの製法であって、
繰り出された原反フィルムをその長手方向に沿って裁断することにより第一の長尺フィルムと第二の長尺フィルムとを形成し、
該第一の長尺フィルムの裏面に長尺状の接着フィルムを重ね合わせて両者に切断線をその長手方向に沿って一括形成した後に、
該接着フィルムの裏面に前記第二の長尺フィルムを重ね合わせて、第一の長尺フィルムと接着フィルムとを剥離不能に積層すると共に接着フィルムと第二の長尺フィルムとを剥離可能に積層することを特徴とする多重ラベル用の長尺ラミネートフィルムの製法。
【発明の詳細な説明】
【０００１】
【発明の属する技術分野】
本発明は、内側ラベルの外側に外側ラベルが剥離されるように積層された多重ラベル及びその多重ラベル用の長尺ラミネートフィルムとその製法に関する。
【０００２】
【従来の技術】
従来、表示面積の拡大を主たる目的として種々の二重ラベルが使用され（下記特許文献１）、表示部を有する内外両ラベルが接着剤により剥離可能に接着された二重ラベルがある。そして、外側ラベルの所定部分には外側ラベルを剥離する等のためにミシン目（切断線）が形成され、このミシン目を切断して外側ラベルが内側ラベルから剥離され、外側ラベルで遮蔽されていた内側ラベルの表示部が目視可能となる。
【０００３】
尚、内外両ラベルを積層した後にミシン目を形成すると内側ラベルにもミシン目が形成されることになり、該ミシン目を切断すると内側ラベルも同時に切断され、外側ラベルを内側ラベルから上手く分離することができない。そのため、積層前に予め外側ラベルのみにミシン目を形成しておき、そのミシン目付きの外側ラベルを内側ラベルに積層していた。
【０００４】
このように内外両ラベルは塗布された接着剤によって剥離可能に接着されているが、接着力のコントロールの管理や製造スピード等のような製造上の観点から、また、接着剤の場合には外側ラベルの剥離に要する力にバラツキが生じやすいという観点から、接着剤に代えて接着フィルムを使用した二重ラベルを開発した。該二重ラベルは、外側ラベルと内側ラベルとの間に接着フィルムが介在されたものであって、接着フィルムと内側ラベルとの間が擬似接着されている。即ち、外側ラベルと接着フィルムとが一体となって内側ラベルから剥離する構成であって、その剥離後においては内側ラベルの表面には接着フィルムが残らないので内側ラベルの表示部が鮮明に表示される。
【０００５】
【特許文献１】
実公平５−２６６０７号公報
【０００６】
【発明が解決しようとする課題】
上述の二重ラベルにおいては、外側ラベルと接着フィルムとの間を擬似接着することもできるが、接着フィルムは一般に柔軟で耐摩耗性に劣るため、剥離されずに内側ラベルの外側に残ると傷が生じやすい。そのために接着フィルムと内側ラベルとの間を擬似接着として剥離後は表面に接着フィルムが残らないようにしている。
【０００７】
しかしながら、接着フィルムにより内外両ラベルが積層された二重ラベルの場合、接着フィルムにはミシン目が形成されていないため外側ラベルを接着フィルムと共に一体的に切断することは容易ではない。
【０００８】
それゆえに本発明は、製造が容易で、外側ラベルの剥離に要する力のバラツキが少なく、しかも、外側ラベルの所定部分を容易に切断することのできる、多重ラベル、多重ラベル用の長尺ラミネートフィルム及びその製法を提供することを課題とする。
【０００９】
【課題を解決するための手段】
本発明は、上記課題を解決すべくなされたものであり、本発明に係る多重ラベルは、外側ラベルが内側ラベルから剥離される多重ラベルであって、外側ラベルと内側ラベルとが、外側ラベルの剥離時に内側ラベルの表面で剥離が起こるように接着フィルムを介して積層され、外側ラベルと接着フィルムの所定位置には、内側ラベルを切断せずに残して外側ラベルと接着フィルムを一括的に切断するための切断線が形成されていることを特徴とする。
【００１０】
該構成の多重ラベルにあっては、接着フィルムを介して内外両ラベルが接着されているので、接着剤が不要であって容易に製造することができ、また、接着フィルムが使用されているので、剥離に要する力の多重ラベル毎のバラツキも少ない。そして、接着フィルムと外側ラベルに切断線が形成されているので、外側ラベルの所定部分を接着フィルムと共に容易に切断することができる。
【００１１】
また本発明に係る多重ラベル用の長尺ラミネートフィルムは、外側ラベルが内側ラベルから剥離される多重ラベル用の長尺ラミネートフィルムであって、外側ラベルとなる第一の長尺フィルムと内側ラベルとなる第二の長尺フィルムとが、外側ラベルの剥離時に内側ラベルの表面で剥離が起こるように長尺状の接着フィルムを介して積層され、第一の長尺フィルムと接着フィルムの所定位置には、内側ラベルを切断せずに残して外側ラベルと接着フィルムを一括的に切断するための切断線が長尺ラミネートフィルムの長手方向に沿って形成されていることを特徴とする。
【００１２】
該構成の長尺ラミネートフィルムにあっては、第一及び第二の長尺フィルムが接着フィルムを介して積層されているので接着剤を使用する場合に比してその製造が容易である。また、長尺ラミネートフィルムを裁断や打抜き等することにより多重ラベルを製造することができるが、接着フィルムを介して外側ラベルと内側ラベルとが積層されているので、外側ラベルを剥離する際に要する力が多重ラベル毎にばらつくということが抑制される。更に、外側ラベルと接着フィルムとを一括して切断するための切断線が長手方向に沿って形成されているので、この長尺ラミネートフィルムから製造された多重ラベルにおいて、外側ラベルの所定部分を接着フィルムと共に容易に切断することができる。
【００１３】
また更に、本発明に係る長尺ラミネートフィルムの製法は、上記多重ラベル用の長尺ラミネートフィルムの製法であって、繰り出された原反フィルムをその長手方向に沿って裁断することにより第一の長尺フィルムと第二の長尺フィルムとを形成し、該第一の長尺フィルムの裏面に長尺状の接着フィルムを重ね合わせて両者に切断線をその長手方向に沿って一括形成した後に、該接着フィルムの裏面に前記第二の長尺フィルムを重ね合わせて、第一の長尺フィルムと接着フィルムとを剥離不能に積層すると共に接着フィルムと第二の長尺フィルムとを剥離可能に積層することを特徴とする。
【００１４】
該方法によれば、一つの原反フィルムから第一及び第二の長尺フィルムを形成し、その第一の長尺フィルムの裏面に長尺状の接着フィルムを重ね合わせてその両者に切断線を一括形成し、しかる後に第二の長尺フィルムを剥離可能に積層するので、第二の長尺フィルムに切断線を形成することなく第一の長尺フィルムと長尺状の接着フィルムのみに容易に切断線を形成することができる。また、一つの原反フィルムから長尺ラミネートフィルムを製造するまで一連の工程で行うので、第一及び第二の長尺フィルムを別々の原反ロールから繰り出す構成に比して、両長尺フィルムが特に長手方向に位置ずれしにくくなり、高精度に積層された多重ラベル用の長尺ラミネートフィルムを容易に製造することができる。
【００１５】
【発明の実施の形態】
以下、本発明に係る多重ラベル、該多重ラベル用の長尺ラミネートフィルム、及びその製法の一実施形態について図面を参酌しつつ説明する。
図１に本実施形態における二重ラベルを示している。該二重ラベル１は、一枚のラミネートフィルムの左右両側端部同士を重ね合わせて接着することにより筒状に形成されたもので、熱を加えることによって主としてその周方向に収縮する熱収縮ラベルである。その重ね合わせ部２は縦方向（軸線方向）に沿って形成され、図１及び図４において、重ね合わせ部２にはハッチングが施されている。
【００１６】
該二重ラベル１は、図３に示すように、外側ラベル３と内側ラベル４とが接着フィルム５を介して熱圧着により積層されたものであり、外側ラベル３と接着フィルム５とはアンカーコート６により剥離不能に積層され、接着フィルム５と内側ラベル４とは剥離可能に積層されている。従って、外側ラベル３を剥離する際には、接着フィルム５と内側ラベル４との層間で剥離が起こり、接着フィルム５は外側ラベル３と一体となって剥離する。
【００１７】
尚、外側ラベル３と内側ラベル４には各々印刷によって表示部（図示省略）が施されており、外側ラベル３を剥離することにより内側ラベル４の表示部の一部若しくは全部が視認可能となる。また、剥離後において接着フィルム５は再貼着不能である。
【００１８】
ここで、外側ラベル３及び内側ラベル４は、主に一方向に収縮する熱収縮性フィルムから構成され、例えば、厚さ２０乃至６０μｍのポリエチレンテレフタレート（ＰＥＴ）フィルム等のポリエステル系フィルムが使用される。尚、外側ラベル３と内側ラベル４は同じ厚さである。但し、両者の厚さが異なるものであってもよい。また、接着フィルム５としては、エチレン酢酸ビニル共重合体（ＥＶＡ）やエチレンアクリル酸エチル共重合体（ＥＥＡ）、エチレンアクリル酸共重合体（ＥＡＡ）、エチレンメタクリル酸共重合体（ＥＭＡＡ）、アイオノマー樹脂等の厚さ５乃至４０μｍのＰＥ変性フィルムが使用される。尚、前記アンカーコート６の厚さは１乃至５μｍである。
【００１９】
かかる二重ラベル１は種々の容器に装着されるが、例えば図４に示すような口部にキャップＷ１が螺着された容器Ｗの全長を被覆するためのものである。即ち、この二重ラベル１は、いわゆるキャップシールとして機能して開封により容器Ｗから除去される上部領域１０と、開封時には除去されずに容器Ｗに装着されたまま残される下部領域１１とを有している。
【００２０】
詳細には、図１に戻って、二重ラベル１には、該二重ラベル１を上部領域１０と下部領域１１とに区画するように周方向に沿って横ミシン目２０が全周に亘って形成されている。また、二重ラベル１の上端から横ミシン目２０まで、互いに周方向に所定間隔離間して左右一対の第一の縦ミシン目２１が縦方向に沿って形成されている。この第一の縦ミシン目２１と横ミシン目２０は、二重ラベル１を構成するラミネートフィルムの全厚を貫通するように形成されている。更に、左右両第一の縦ミシン目２１の内側には、各第一の縦ミシン目２１の近傍位置に二重ラベル１の全長に亘って縦方向に沿って第二の縦ミシン目２２（切断線）が左右一対形成されている。この第二の縦ミシン目２２は二重ラベル１のうちの外側ラベル３と接着フィルム５に形成されているものの、内側ラベル４には形成されていない。即ち、第二の縦ミシン目２２は外側ラベル３と接着フィルム５の両者を貫通している。従って、開封時には、二重ラベル１の上端から横ミシン目２０までは、第一の縦ミシン目２１間における二重ラベル１の帯状部分全厚が、また、横ミシン目２０から二重ラベル１の下端までは、第二の縦ミシン目２２間における外側ラベル３と接着フィルム５の帯状部分が、それぞれ開封用の切り取り片３０となる。尚、横ミシン目２０は二条構成であるが、第一及び第二の縦ミシン目２２はそれぞれ一条構成である。尚、横ミシン目２０は二条構成が切れやすいため好ましいが一条構成であってもよい。また、横ミシン目２０近傍において、第一の縦ミシン目２１の下端と第二の縦ミシン目２２とを連結する切り込み（図示省略）が形成されている。
【００２１】
以上のように構成された二重ラベル１にあっては、まず、図４（イ）のように載置された容器Ｗに上方から二重ラベル１を被せ、その後加熱により二重ラベル１を熱収縮させて図４（ロ）のように容器Ｗを全長に亘って二重ラベル１で被覆する。これにより、キャップＷ１の外れが二重ラベル１の上部領域１０によって防止される。このように二重ラベル１が装着された容器Ｗを開封する場合には、図４（ハ）のように、第一及び第二の縦ミシン目２１，２２の間に位置する開封用の切り取り片３０を、横ミシン目２０までは第一の縦ミシン目２１を切断しながら、また、横ミシン目２０から下側については第二の縦ミシン目２２を切断しながら、他の部分から切り離す。その開封の際、上述したように、第一の縦ミシン目２１は二重ラベル１の全厚を貫通しているので、横ミシン目２０までは内側ラベル４も外側ラベル３と一体となって切離される。そして、横ミシン目２０から下側については、第二の縦ミシン目２２が内側ラベル４には形成されていないので、内側ラベル４は切離されずにそのまま残り、外側ラベル３と接着フィルム５が共に一体となって切離される。また、接着フィルム５にまで第二の縦ミシン目２２が形成されているので、外側ラベル３を第二の縦ミシン目２２に沿って容易に切離することができる。
【００２２】
その後、図４（ニ）のように、横ミシン目２０に沿って上部領域１０を下部領域１１から切離して除去することで開封作業は完了し、図４（ホ）に示すように、開封後においては、容器Ｗの胴部に二重ラベル１の下部領域１１が装着された状態となる。そして、前記開封作業の際に同時に下部領域１１における外側ラベル３の一部が切り取り片３０として切離されていて外側ラベル３はその部分で周方向に分断されているので、図４（ヘ）のように容器Ｗに残った外側ラベル３を切り取り片３０の切離により形成された端部を起点として周方向に剥離することができる。尚、重ね合わせ部２においては、外側ラベル３の一端部の表面に内側ラベル４の他端部の裏面が貼り合わせられているので、図４（ト）のように、重ね合わせ部２から第二の縦ミシン目２２までの帯状の領域においては、外側ラベル３は剥離されずにそのまま残る。このように外側ラベル３を剥離することで内側ラベル４が表出してその表示部が目視できるようになる。また、接着フィルム５も外側ラベル３と共に剥離されるので、内側ラベル４の表面に、傷が付きやすい接着フィルム５が残ることがない。このように外側ラベル３と共に接着フィルム５を一体的に切離することが好ましい。
【００２３】
次に、かかる二重ラベル１の製法について説明する。
図５に示すように、ロール状に巻回された幅広の原反フィルム１００を順次繰り出し、切断刃１０１によって原反フィルム１００を連続的に左右に二分する。このスリット工程によって原反フィルム１００は第一の長尺フィルム１０２と第二の長尺フィルム１０３に分断されるが、第一の長尺フィルム１０２は外側ラベル３となる一方、第二の長尺フィルム１０３は内側ラベル４を構成する。従って、原反フィルム１００には既に外側ラベル３の表示部と内側ラベル４の表示部とがその長手方向に沿って一定間隔毎に形成されている。尚、本実施形態では第一及び第二の長尺フィルム１０２，１０３は同幅である。そして、引き続き第一の長尺フィルム１０２を下流へと走行させながら、ロール状に巻回された長尺状の接着フィルム１０４をその第一の長尺フィルム１０２の裏面に重ね合わせ、その下流点において両者にミシン目１０５を長手方向に沿って形成する。尚、第一の長尺フィルム１０２の裏面には前記表示部の印刷を施す際にアンカーコート６が塗布されている。該ミシン目１０５は第一の長尺フィルム１０２及び長尺状の接着フィルム１０４の一方の側端部近傍に形成される。例えば、ローラの外周面に一定間隔毎に多数の刃が突設されたミシン目形成刃１０６を使用して第一の長尺フィルム１０２と長尺状の接着フィルム１０４の両者を貫通するようにしてミシン目１０５を連続形成する。尚、このミシン目１０５が上記第二の縦ミシン目２２に相当する。そして、ミシン目１０５の形成後、長尺状の接着フィルム１０４の裏面に前記第二の長尺フィルム１０３を重ね合わせる。その際、長尺状の接着フィルム１０４の裏面に第二の長尺フィルム１０３の表面側を重ね合わせるようにする。そして、この重ね合わせは上下一対のヒートローラ１０７（熱圧着手段）にて行い、重ね合わせと同時に、第一の長尺フィルム１０２と長尺状の接着フィルム１０４と第二の長尺フィルム１０３の三者を熱圧着し、そして、形成された長尺ラミネートフィルム１０８を順次ロール状に巻き取る。この熱圧着の条件は、例えば加熱温度が５０乃至２００℃で、圧力が２乃至１０Ｋｇ／ｃｍ２である。かかる熱圧着工程においては、第一の長尺フィルム１０２と長尺状の接着フィルム１０４とは接着される一方、長尺状の接着フィルム１０４と第二の長尺フィルム１０３とは剥離可能に擬似接着される。尚、原反フィルム１００の繰り出しから長尺ラミネートフィルム１０８の巻き取りまで一連の工程で連続的に行うので、第一の長尺フィルム１０２と第二の長尺フィルム１０３の長手方向の位置ずれを容易に防止することができ、従って、外側ラベル３の表示部と内側ラベル４の表示部の位置ずれも防止される。更に、接着剤を塗布することなく長尺状の接着フィルム１０４を使用して積層するので製造が容易である。しかも、第一の長尺フィルム１０２と第二の長尺フィルム１０３を積層する前に長尺状の接着フィルム１０４と第一の長尺フィルム１０２とを重ね合わせて両者にミシン目１０５を形成するので、長尺状の接着フィルム１０４と第一の長尺フィルム１０２のみにミシン目１０５が形成された長尺ラミネートフィルム１０８を容易に製造することができる。
【００２４】
このようにして二重ラベル用の長尺ラミネートフィルム１０８を製造した後、ロール状に巻回された長尺ラミネートフィルム１０８を繰り出しながらその左右両側端部同士を順次重ね合わせて接着することにより筒状に形成し、その筒状の長尺ラミネートフィルム１０８を扁平状に折り畳みながらロール状に巻き取る。その際、折り畳まれた筒状の長尺ラミネートフィルム１０８における左右の折り目のうちの一方の折り目Ｔが、図１に一点鎖線にて示すように第二の縦ミシン目２２の中間に位置するようにする。そしてロール状に巻回された筒状の長尺ラミネートフィルム１０８を例えば間欠送りによって繰り出し、一定長さ毎に切断して図６に示すような二重ラベル１を形成すると共に第一の縦ミシン目２１と横ミシン目２０を形成する。尚、このような第一の縦ミシン目２１と横ミシン目２０の形成については公知の手法を採用すればよい。長尺ラミネートフィルムの製造加工と、筒状の加工とを連続してすることも可能である。
【００２５】
尚、他の実施形態における二重ラベル１とその製法について図７及び図８を参酌して説明する。
まず、原反フィルム１００を繰り出して左右に二分しながら同幅の第一及び第二の長尺フィルム１０２，１０３を形成すると共に、第一の長尺フィルム１０２のアンカーコート６が施された裏面に長尺状の接着フィルム１０４を重ね合わせて長手方向に沿ってミシン目１０５（切離線）を形成する（図７（イ））。以上の工程は上述したのと同様である。その後、長尺状の接着フィルム１０４の裏面に第二の長尺フィルム１０３を重ね合わせるのであるが、その際、上述したのとは異なり、図７（ロ）のように、第一の長尺フィルム１０２と第二の長尺フィルム１０３とが幅方向（左右方向）に所定量位置ずれするようにして重ね合わせる。具体的には、第一の長尺フィルム１０２においてミシン目１０５が形成された側の側端部１０２ａとは反対側の側端部１０２ｂから第二の長尺フィルム１０３が所定量外側にはみ出るようにする。このような状態で三者を熱圧着して長尺ラミネートフィルム１０８を形成し、上述したのと同様に、図７（ハ）のように、その長尺ラミネートフィルム１０８の左右両側端部同士を重ね合わせて接着（センターシール）するが、その際、側方にはみ出た第二の長尺フィルム１０３のはみ出し部分１０３ａの表面に長尺状の接着フィルム１０４を重ね合わせるようにすると共に、第二の長尺フィルム１０３のはみ出し部分１０３ａの一部がスリット状に部分的に露出したまま残るようにする。そして、重ね合わせ部２とミシン目１０５との間の帯状の領域１１０において第一の長尺フィルム１０２の表面に例えばインクジェットプリンタ等により印字する。例えば二重ラベル１を装着する対象の容器Ｗの内容物に関する消費期限やその製造番号等を印字する。このようにして形成した長尺ラミネートフィルム１０８を所定長さ毎に切断して順次二重ラベル１を形成する。
【００２６】
そして、形成した二重ラベル１を図８（イ）のように容器Ｗに被せて熱収縮させて容器Ｗに装着するが（図８（ロ））、容器Ｗへの装着においては、内側ラベル４が軸線方向全長に亘ってスリット状に露出しているため、上述したような切り取り片３０を切り取る等することなく図８（ハ）のように外側ラベル３をその一方の側端部３ａから容易に剥離することができる。尚、上述したように接着フィルム５も外側ラベル３と共に剥離される。そして、図８（ニ）のようにミシン目１０５によって外側ラベル３を切離すると、外側ラベル３のうち、重ね合わせ部２とミシン目１０５の間の帯状の領域１１０のみが容器Ｗに残る。この容器Ｗに残った帯状の領域１１０には消費期限等が印字されているので、外側ラベル３の大部分を剥離して内側ラベル４の表示部を露出させた状態においても、その消費期限等を容易に確認することができる。このように二重ラベル１の構成は適宜設計変更可能である。
【００２７】
そして、上記実施形態においては容器Ｗの全長に亘って二重ラベル１を装着する構成について説明したが、容器Ｗの胴部のみに装着する構成であっても無論よい。
【００２８】
また、ミシン目の構成や形成箇所等についても種々の変更が可能であって、ミシン目以外の他の切断線であってもよい。
更に、三重ラベル以上の多重ラベルであってもよい。
【００２９】
【発明の効果】
以上のように、従来の接着剤に代えて接着フィルムを使用して内外両ラベルが積層されているので接着剤に比して製造が容易であると共に外側ラベルを剥離する際に要する力のばらつきも少ない。しかも、外側ラベルの所定部分を切断する際に接着フィルムも同時に切断されるので容易に外側ラベルを切断することができる。
【図面の簡単な説明】
【図１】本発明の一実施形態における多重ラベルを示す斜視図。
【図２】同多重ラベルの断面図。
【図３】同多重ラベルを構成するラミネートフィルムの断面図。
【図４】（イ）乃至（ト）は同多重ラベルの使用状態を順に示す概略斜視図。
【図５】本発明に係る多重ラベル用の長尺ラミネートフィルムの製造工程を示す概略斜視図。
【図６】同多重ラベルの一製造工程を示すための正面図。
【図７】（イ）乃至（ニ）は他の実施形態における多重ラベル用の長尺ラミネートフィルムの製造工程を示す概略斜視図。
【図８】（イ）乃至（ニ）は同多重ラベルの使用状態を示す概略斜視図。
【符号の説明】
１…二重ラベル（多重ラベル）、２…重ね合わせ部、３…外側ラベル、４…内側ラベル、５…接着フィルム、２２，１０５…ミシン目（切離線）、１００…原反フィルム、１０２…第一の長尺フィルム、１０３…第二の長尺フィルム、１０４…長尺状の接着フィルム、１０７…ヒートローラ（熱圧着手段）、１０８…長尺ラミネートフィルム、Ｗ…容器、Ｗ１…キャップ
【図１】
2005010658.tif 000003
【図２】
2005010658.tif 000004
【図３】
2005010658.tif 000005
【図４】
2005010658.tif 000006
【図５】
2005010658.tif 000007
【図６】
2005010658.tif 000008
【図７】
2005010658.tif 000009
【図８】
2005010658.tif 000010